(57)【要約】【課題】構造簡素にして、折り畳んだ際にはコンパクトにして保管および持ち運びを容易にし、また、拡開した際には用便が行なえるとともに、非用便時には椅子として活用できる便座付き折畳み椅子を得る。【解決手段】長方形状又は門形の外枠(3)と内枠(4)とを設け、前記外枠(3)に前記内枠(4)を嵌合させるとともに両者を上下中心部にて互いに回動可能に連結して前後に拡開するＸ形の折畳み脚（２）を形成し、前記外枠(3)と内枠(4)との上部桟（３ｃ，４ｃ）に可撓性の便座シート（６）を渡架して連結するとともに、該便座シート（６）の中心部に便孔（７）を形成し、前記便座シート（６）の前後両端部に便受け袋（１１）の口部を着脱可能に係止する係止具（８）を設け、前記便座シート（６）の上面を覆う可撓性の座シート（１０）を設けるとともに、該座シート（１０）の前後方向一端部を前記便座シート（６）の前後方向一端部に連結し、該座シート（１０）の前後方向他端部を前記便座シート（６）の前後方向他端部に係脱可能に係止する。【選択図】図２
2006081595.tif 000002
【特許請求の範囲】
【請求項１】
長方形状又は門形の外枠(3)と内枠(4)とを設け、前記外枠(3)に前記内枠(4)を嵌合させるとともに両者を上下中心部にて互いに回動可能に連結して前後に拡開するＸ形の折畳み脚（２）を形成し、前記外枠(3)と内枠(4)との上部桟（３ｃ，４ｃ）に可撓性の便座シート（６）を渡架して連結するとともに、該便座シート（６）の中心部に便孔（７）を形成し、前記便座シート（６）の前後両端部に便受け袋（１１）の口部を着脱可能に係止する係止具（８）を設け、前記便座シート（６）の上面を覆う可撓性の座シート（１０）を設けるとともに、該座シート（１０）の前後方向一端部を前記便座シート（６）の前後方向一端部に連結し、該座シート（１０）の前後方向他端部を前記便座シート（６）の前後方向他端部に係脱可能に係止したことを特徴とする便座付き折畳み椅子。
【請求項２】
係止具（８）は、可撓性のシートを便孔（７）の前後縁部から内方に向けて舌片状に突出させるとともに、その左右幅を便孔（７）の左右幅よりも広幅とし、該係止具（８）を外方に反転屈曲させてその先端部を前記便座シート（６）の前後端部に係脱可能としたことを特徴とする請求項１記載の便座付き折畳み椅子。
【発明の詳細な説明】
【技術分野】
【０００１】
本発明は、持ち運び簡便にして、ドライブ先、釣り場等の便所が存在しない場所、あるいは便所が使用できなくなった災害地等において、排尿、排便等（以下用便という）が容易に行なえるようにした便座付き折畳み椅子に関するものである。
【背景技術】
【０００２】
従来の技術として特許文献１があった。即ち、折畳み式椅子の座部に取り付け穴を形成し、該取り付け穴にバケツ状の便槽を着脱可能に嵌合支持し、座部の上面に用便穴がくり抜かれた座面用基板を載置するとともに、該座面用基板を座部の前端部に上方に向けて揺動自在に連結し、上記座面用基板の上面に前記用便穴を覆うように座面用クッションを着脱自在に設けてなるポータブルトイレがあった。
【０００３】
このものは、ベッドサイド、寝床、寝室等でトイレとして手軽に使用でき、また、不使用時には椅子として活用できる。しかしながら、上記従来のものは、部品点数が増大して嵩張るため、自動車あるいはバッグ等に収容して手軽に携行することができないものであった。また、構造が複雑になって高価になるものであった。
【特許文献１】特許第３４６５２２９号公報
【発明の開示】
【発明が解決しようとする課題】
【０００４】
本発明は、不使用時には小さく折り畳んで保管スペースを小さくするとともに、持ち運びを容易にし、また、拡開した際には用便が容易に行なえるとともに、非用便時には椅子として活用できる新規な便座付き折畳み椅子を得ることを目的とする。
【課題を解決するための手段】
【０００５】
本発明は、上記目的を達成するために以下の如く構成したものである。即ち、請求項１に係る発明は、長方形状又は門形の外枠と内枠とを設け、前記外枠に前記内枠を嵌合させるとともに両者を上下中心部にて互いに回動可能に連結して前後に拡開するＸ形の折畳み脚を形成し、前記外枠と内枠との上部桟に可撓性の便座シートを渡架して連結するとともに、該便座シートの中心部に便孔７を形成し、前記便座シートの前後両端部に便受け袋の口部を着脱可能に係止する係止片を設け、前記便座シートの上面を覆う可撓性の座シートを設けるとともに、該座シートの前後方向一端部を前記便座シートの前後方向一端部に連結し、該座シートの前後方向他端部を前記便座シートの前後方向他端部に係脱可能に係止する構成にしたものである。
請求項２に係る発明は、前記係止具として、可撓性のシートを便孔の前後縁部から内方に向けて舌片状に突出させるとともに、その左右幅を便孔の左右幅よりも広幅とし、該係止具を外方に反転屈曲させてその先端部を前記便座シートの前後端部に係脱可能としたものである。
【発明の効果】
【０００６】
本発明の請求項１に係る発明は、折畳み脚を前後に拡開させ、座シートを上方に向けて開くと便座シートが露見する。この便座シートの便孔にビニール製の便受け袋を嵌合させ、その前後両端部を係止片に掛けると、簡易形の便器となり、使用者は上記便座シートに腰かけて用便することができる。用便した後は上記便受け袋を便孔から取り出して予め用意したビニール袋等の汚物袋に入れる。
【０００７】
また、用便後に上記便座シートの上面に座シートを重ね合わせると、使用者はこの座シートに腰を降ろして椅子として活用することができる。また、折畳み脚を折り畳むと、便座シート及び座シートが左右に谷形に折れ、携帯あるいは格納が容易となる。また、便座シート及び座シートは布等の可撓性のシートとしたので安価に得ることができる。
【０００８】
請求項２に係る発明は、座シートを開き、外部に露見させた便座シートの便孔に、買い物時に提供されたビニール製手提げ袋を嵌合させ、その両側の把手を前後の係止片に挿通し、該係止片を前後に反転屈曲させてその先端部を便座シートの前後端部に係止することにより、市販のビニール製手提げ袋を便受け袋として活用することができる。
【発明を実施するための最良の形態】
【０００９】
以下本発明の実施例を図面に基づいて説明する。図において、図１は本発明の排便時の使用状態を示す側面断面図、図２は便受け袋の取付け状態を示す斜視図、図３は椅子にした状態の斜視図、図４は折り畳んだ状態の側面断面図、図５は他の実施例を示す図２相当の斜視図である。
【００１０】
図１、図２において、１は便座付き折畳み椅子であり、折畳み脚２、便座シート６、及び座シート１０を主要部品として構成される。上記折畳み脚２は、上下に長い長方形状の外枠３と、該外枠３の内周部に接近して嵌合する長方形状の内枠４とを形成し、該外枠３に内枠４を嵌合させてその前部のたて桟３ａ，４ａ及び後部のたて桟３ｂ，４ｂ同士を上下中心部にてピン５，５により互いに回動可能に連結し、これにより前後方向にＸ形に拡開する折畳み脚２を形成する。なお、上記外枠３及び内枠４は、下部桟３ｄ，４ｄを除去した門形としてもよい。
【００１１】
上記外枠３と内枠４との上部桟３ｃ，４ｃ間に布製の便座シート６を渡架し、その前後端部を各上部桟３ｃ，４ｃに巻き付けて連結する。該便座シート６は、前後幅（図２において左右幅）が約４００ｍｍ、左右幅（図２において前後幅）が約３００ｍｍとなる長方形状とし、左右中心部に前後幅が約２６０ｍｍ、左右幅が約１３０ｍｍとなる便孔７を貫通形成してなる。
【００１２】
上記便孔７の前後の縁部に、便座シート６の一部を内方に突出させてなる舌片状の係止片８を形成する。該係止片８は便孔７の左右幅よりも若干小幅にしてその左右両側に間隙Ｓを形成する。また、上記各係止片８の内端部及び便座シート６の前後端部に互いに係脱する面ファスナーからなる止め具８ａ，６ａを縫着し、図１の実線、及び図２の仮想線で示すように、各係止片８を外方に反転屈曲させてその先端部の止め具８ａを便座シート６側の止め具６ａに係合させてループ状とし、これにより便受け袋１１の把手部１１ａを係止する。
【００１３】
上記便座シート６の上面を覆う布製の座シート１０を設ける。該座シート１０は便座シート６に略対応する面積とし、その前端部を上記便座シート６の前端部に連結する。座シート１０の後端部に面ファスナーからなる止め具１０ａを逢着し、該止め具１０ａを介して座シート１０の後端部を上記便座シート６の後部側の止め具６ａに係脱可能に係止する。なお、前述した止め具６ａ、８ａ、１０ａはホックとしてもよい。
【００１４】
そして、使用者Ｍが用便する際には、図２に示すように、折畳み脚２をＸ形に拡開させて便座シート６を水平に緊張するとともに、座シート１０を上方に回動させて上記便座シート６の便孔７を外部に開口させる。次いで、買い物時等に提供されたビニール製手提げ袋からなる便受け袋１１を用意し、これを図２の仮想線で示すように、上記便孔７に嵌合させるとともに、その両側の把手部１１ａ，１１ａを前後の係止片８，８に挿通し、該係止片８，８を前後方向に反転屈曲させてその止め具８ａを便座シート６の止め具６ａに係合させ、また便受け袋１１の前後の耳部１１ｂ，１１ｂを外側に引っ張り、便受け袋１１の口周縁部１１ｃを便座シート６の上面に沿わせる。
【００１５】
なお、前述した係止片８は、図５に示すように、便座シート６とは別体の布材により、左右幅（図２において前後幅）が便孔７の左右幅に対して約２０ｍｍ広幅となる長方形状（又は正方形）とし、その外端部を上記便孔７の前後縁部に縫着するようにしてもよい。このようにすれば、便受け袋１１の両把手部１１ａ，１１ａを上記係止片８，８に挿通した際に、便受け袋１１の口部が拡開するとともに、該口周縁部１１ｃが便孔７の周縁、つまり便座シート６の上面に沿って円滑に広がり、便受け袋１１が便孔７の周縁に安定して係止されることになる。
【００１６】
これにより、使用者Ｍは、図１に示すように、上記便座シート６に跨がり（腰かけ）、用便することができる。この場合、上記便受け袋１１内に脱臭剤、給水ポリマー等を収容するようにすれば、排尿、排便の臭いを消臭することができ、環境・衛生面で好ましい。なお、使用者Ｍは、上記用便する際にバスタオルあるいはマント形の衣類（図示省略）により下半身を包囲する。上記用便が終了した後、上記便受け袋１１を便孔７から取り出して予め用意したビニール袋等の汚物袋に入れる。
【００１７】
また、非用便時において、図３に示すように、座シート１０を上記便座シート６の上面に重ね合せ、その係止具１０ａを便座シート６の後部側の係止具６ａに係合させると、使用者Ｍは上記座シート１０の上に腰を降ろして椅子として活用することができる。また、折畳み脚２を折り畳むと、図４に示すように、上記座シート１０及び便座シート６が 前後中心部で谷形に屈曲し、全体が面状（板状）となり、自動車のトランク、あるいはリュックサック等の手荷物袋（ケース）内にコンパクトに収容することができ、手軽に携行することができる。
【図面の簡単な説明】
【００１８】
【図１】本発明の排便時の使用状態を示す側面断面図である。
【図２】便受け袋の取付け状態を示す斜視図である。
【図３】椅子にした状態の斜視図である。
【図４】折り畳んだ状態の側面断面図である。
【図５】他の実施例を示す図２相当の斜視図である。
【符号の説明】
【００１９】
１    便座付き折畳み椅子
２    折畳み脚
３    外枠
３ａ，３ｂ  たて桟
３ｃ  上部桟
３ｄ  下部桟
４    内枠
４ａ，４ｂ  たて桟
４ｃ  上部桟
４ｄ  下部桟
５    ピン
６    便座シート
６ａ  止め具（面ファスナー）
７    便孔
８    係止片
８ａ  止め具（面ファスナー）
１０  座シート
１０ａ  止め具（面ファスナー）
１１    便受け袋
１１ａ  把手部
１１ｂ  耳部
１１ｃ  口周縁部
Ｓ    間隙
Ｍ    使用者
【図１】
2006081595.tif 000003
【図２】
2006081595.tif 000004
【図３】
2006081595.tif 000005
【図４】
2006081595.tif 000006
【図５】
2006081595.tif 000007